(57)【要約】【課題】照射方向の範囲が確保されるとともに、灯体の熱影響が抑制可能な照明器具を提供する。【解決手段】照明器具１は、反射体７および照明用ランプ８を有する灯体３と、灯体３を回動自在に軸支している一対の支持体１５，１５、支持体１５，１５と一体化され、外方に突出している鍔部２０および内方に開口２１を有し、この開口２１に反射体７が挿入されていて、灯体３が回動したときに反射体７を除く灯体部分が開口２１の縁部に当接することのできるように形成されているリング体１６とを有してなる内側本体４と、鍔部２０を係止部２４に回転可能に係止して内側本体４を収納している器具本体５とを具備している。【選択図】図１
2007012363.tif 000002
【特許請求の範囲】
【請求項１】
反射体およびこの反射体内に配設された照明用ランプを有する灯体と；
互いに対向していて灯体を回動自在に軸支している一対の支持体と、この支持体と一体化されているとともに、外形が円状であって外方に突出している鍔部および内方に前記支持体同士を結ぶ方向が短寸法である開口を有し、この開口に前記反射体が挿入されていて、灯体が一対の支持体を軸部として回動したときに前記反射体を除く灯体部分が開口の縁部に当接することのできるように形成されているリング体とを有してなる内側本体と；
内側本体が回転可能に前記鍔部を係止する係止部、上面および下面にそれぞれ開口を有して略筒状に形成され、前記反射体が上面の開口に露出するように前記鍔部を係止部に係止して内側本体を収納している器具本体と；
を具備していることを特徴とする照明器具。
【請求項２】
反射体、この反射体内に配設された照明用ランプおよび反射体の回動を規制する規制体を有する灯体と；
互いに対向していて灯体を回動自在に軸支している一対の支持体と、この支持体と一体化されているとともに、外形が円状であって外方に突出している鍔部、内方に前記反射体が挿入される第１の開口および前記支持体に対向する長方形状の第２の開口を有し、第２の開口に前記規制体が挿通されていて、灯体が一対の支持体を軸部として回動したときに前記規制体を除く灯体部分が第１の開口の縁部に当接する前に前記規制体が第２の開口の縁部に当接するように形成されているリング体とを有してなる内側本体と；
内側本体が回転可能に前記鍔部を係止する係止部、上面および下面にそれぞれ開口を有して略筒状に形成され、前記反射体が上面の開口に露出するように前記鍔部を係止部に係止して内側本体を収納している器具本体と；
を具備していることを特徴とする照明器具。
【請求項３】
器具本体は、外側面に取付体、下端に下鍔部、内面と灯体との間に所定の隙間を有し、隙間から手動で取付体を操作して造営物を取付体および下鍔部で挟持して造営物に固定されるとともに、下端に前記隙間を遮蔽する化粧カバーを配設可能に形成されていることを特徴とする請求項１または２記載の照明器具。
【発明の詳細な説明】
【技術分野】
【０００１】
本発明は、照射方向可変形の照明器具に関する。
【背景技術】
【０００２】
この種の照明器具において、照明用ランプや反射鏡などを有する灯体部の首振りの角度を変えるとともに、灯体部を水平方向に回転させることにより、照射方向が所望の方向に変更されるものがある。例えば、少なくとも前面に開口を有する外側本体部と、外側本体部の内側に設けられた複数の取付バネ体と、一端側の周縁部が複数の取付バネ体に着脱可能に装着されるとともに回動自在に保持される筒状の内側本体部と、照明用ランプを備えて内側本体部内に設けられ内側本体部に回動自在に軸支された灯体部とを具備する照明器具が提案されている（特許文献１参照。）。
【０００３】
この従来技術の照明器具において、灯体部は、内側本体部内に挿入され、軸部により内側本体部内の垂直面内に回動自在に取付けられるので、軸部を回転中心として首振りの角度が変化される。また、内側本体部自体は、外側本体部に取付バネを介して着脱自在かつ回動自在に保持されているので、内側本体部を回動させることにより、灯体部が水平方向に回転される。これにより、照明用ランプから放射される放射光の照射方向が所望に変更される。
【特許文献１】特開平３−２８５２０５号公報（第２頁、第２図）
【発明の開示】
【発明が解決しようとする課題】
【０００４】
特許文献１の照明器具は、灯体部が照明用ランプを装着するランプソケットを備えていて、垂直方向の大きさが大きくなっている。したがって、灯体部は、内側本体部内に挿入されると、軸部を回転中心として回動させたときに、回動範囲が小さい状態で灯体部の一部が内側本体部の内面側に当接するものである。すなわち、首振りの角度が小さくなって、照射方向の可変範囲が小さくなるという欠点を有する。また、灯体部が内側本体部内に挿入されているので、灯体部の放熱が行われにくく、照明用ランプの短寿命や放射効率の低下が生じるおそれがある。
【０００５】
本発明は、照射方向の範囲が確保されるとともに、灯体の熱影響が抑制可能な照明器具を提供することを目的とする。
【課題を解決するための手段】
【０００６】
請求項１に記載の照明器具の発明は、反射体およびこの反射体内に配設された照明用ランプを有する灯体と；互いに対向していて灯体を回動自在に軸支している一対の支持体と、この支持体と一体化されているとともに、外形が円状であって外方に突出している鍔部および内方に前記支持体同士を結ぶ方向が短寸法である開口を有し、この開口に前記反射体が挿入されていて、灯体が一対の支持体を軸部として回動したときに前記反射体を除く灯体部分が開口の縁部に当接することのできるように形成されているリング体とを有してなる内側本体と；内側本体が回転可能に前記鍔部を係止する係止部、上面および下面にそれぞれ開口を有して略筒状に形成され、前記反射体が上面の開口に露出するように前記鍔部を係止部に係止して内側本体を収納している器具本体と；を具備していることを特徴とする。
【０００７】
本発明および以下の各発明において、特に言及しない限り、各構成は以下による。
【０００８】
反射体は、例えば照明用ランプを覆うように形成された放物体や半球体などとすることができる。また、反射体は、反射体を覆うとともに固定するカバーに配設されていてもよい。
【０００９】
開口は、反射体が挿入されるとともに、一対の支持体同士を結ぶ方向が短寸法であれば、その形状は問わない。開口は、例えば楕円形状に形成することができる。
【００１０】
「反射体を除く灯体部分が開口の縁部に当接することのできるように」とは、内側本体や器具本体の大きさや形状等によっては、前記灯体部分が開口の縁部に当接する前に、灯体が内側本体や器具本体の干渉物に当接し、その当接により、灯体をさらに回動させることができないものであってもよいことを意味する。前記干渉物がないときには、前記灯体部分は開口の縁部に当接し、さらに回動させることはできないものである。
【００１１】
本発明によれば、灯体は、一対の支持体を軸部として支持体同士を結ぶ方向と直交する方向に回動される。反射体が挿入されている開口は、支持体を結ぶ方向が短寸法であって、反射体を除く灯体部分が開口の縁部に当接するように形成されているので、開口内における灯体の回動範囲が大きくなる。そして、リング体の鍔部が器具本体の係止部で回転可能に係止されるので、内側本体は、当該係止部において自在に回転させることができる。これにより、照明器具の照射方向の可変範囲が大きく確保される。
【００１２】
また、灯体の反射体がリング体の開口に挿入され、反射体が器具本体の上面の開口に露出していて、灯体が内側本体で覆われない構成であるので、照明用ランプからの熱が反射体を介して放熱しやすくなる。
【００１３】
請求項２に記載の照明器具の発明は、反射体、この反射体内に配設された照明用ランプおよび反射体の回動を規制する規制体を有する灯体と；互いに対向していて灯体を回動自在に軸支している一対の支持体と、この支持体と一体化されているとともに、外形が円状であって外方に突出している鍔部、内方に前記反射体が挿入される第１の開口および前記支持体に対向する長方形状の第２の開口を有し、第２の開口に前記規制体が挿通されていて、灯体が一対の支持体を軸部として回動したときに前記規制体を除く灯体部分が第１の開口の縁部に当接する前に前記規制体が第２の開口の縁部に当接するように形成されているリング体とを有してなる内側本体と；内側本体が回転可能に前記鍔部を係止する係止部、上面および下面にそれぞれ開口を有して略筒状に形成され、前記反射体が上面の開口に露出するように前記鍔部を係止部に係止して内側本体を収納している器具本体と；を具備していることを特徴とする。
【００１４】
長方形状の開口は、支持体同士を結ぶ方向が短寸法、支持体同士を結ぶ方向と直交する方向が長寸法であることが好ましい。また、「長方形状」とは、厳密な長方形でなくてもよく、略長方形状を許容する。
【００１５】
本発明によれば、灯体が一対の支持体を軸部として回動されると、規制体が長方形状の第２の開口の縁部に当接する。したがって、灯体が回動される方向の第２の開口の開口寸法を大きくすることにより、灯体の回動範囲が大きくなる。また、灯体を回動させたときに、規制体を除く灯体部分が第１の開口に当接する前に、規制体が第２の開口の縁部に当接するので、灯体の内側本体への干渉が防止される。
【００１６】
請求項３に記載の照明器具の発明は、請求項１または２記載の照明器具において、器具本体は、外側面に取付体、下端に下鍔部、内面と灯体との間に所定の隙間を有し、隙間から手動で取付体を操作して造営物を取付体および下鍔部で挟持して造営物に固定されるとともに、下端に前記隙間を遮蔽する化粧カバーを配設可能に形成されていることを特徴とする。
【００１７】
本発明によれば、照明器具が造営物に配設された状態で、手動で灯体を回動させ、内側本体を回転させて照射方向を所望に変更させられる。そして、化粧カバーが配設されることにより、器具本体と灯体との間の隙間が目隠しされる。
【発明の効果】
【００１８】
請求項１の発明によれば、灯体が一対の支持体を軸部として支持体同士を結ぶ方向と直交する方向に回動されたときに、反射体を除く灯体部分が開口の縁部に当接するので、灯体の回動範囲が大きくなり、かつ、内側本体が器具本体の係止部において回転可能に形成されているので、照明器具の照射方向の可変範囲を大きく確保することができ、この結果、照明器具の照射方向を所望に変更することができる。また、反射体がリング体の開口に挿入されていて、器具本体の上面の開口に露出しているので、反射体の温度上昇を抑制できて、照明用ランプの発光効率を高めることができるとともに、照明用ランプを長寿命化することができる。
【００１９】
請求項２の発明によれば、長方形状の第２の開口に灯体の規制体が挿通されているので、規制体を除く灯体部分を内側本体に干渉させることなく、灯体を第２の開口の範囲内で支持体同士を結ぶ方向と直交する方向に回動させることができる。
【００２０】
請求項３の発明によれば、照明器具を造営物に配設した状態で、手動で灯体を回動でき、内側本体を回転できるので、照明器具の照射方向の変更を容易に行うことができる。また、化粧カバーを配設することにより、器具本体と灯体との間の隙間が目隠しされるので、照明器具の見栄えや意匠性を向上させることができる。
【発明を実施するための最良の形態】
【００２１】
以下、本発明の一実施の形態について、図面を参照して説明する。まず、本発明の第１の実施形態について説明する。
【００２２】
図１は、本発明の第１の実施形態の照明器具を示し、（ａ）は概略上面図、（ｂ）は概略正面図である。照明器具１は、造営物としての天井２に埋設されるダウンライトであり、灯体３、内側本体４、器具本体５および化粧カバー６を有して形成されている。
【００２３】
灯体３は、例えばアルミニウム（Ａｌ）からなり、内面が反射面に形成された半球状の反射体７と、照明用ランプとしての高圧放電ランプ例えばメタルハライドランプ８を有して構成されている。反射体７は、反射体７と略同形状に形成され、上端に円筒状の突出部９ａ、下端に円筒状のフード１０を取り付けているカバー９に配設されている。すなわち、反射体７は、カバー９とフード１０との間の段差に載置されて固定されている。
【００２４】
カバー９は、突出部９ａにおいて、アルミニウム（Ａｌ）からなり、スリット１１を有する横断面が略六角形状の外板１２を取り付けている。外板１２の上面には所定の幅を有する断面略コ字状のソケット取付板１３が取り付けられている。そして、外板１２の内部に位置してソケット取付板１３にランプソケット１４がねじ１４ａ，１４ａにより取り付けられている。
【００２５】
そして、ランプソケット１４は、メタルハライドランプ８を装着している。ここで、メタルハライドランプ８の発光部が反射体７内に位置するように、外板１２の大きさやランプソケット１４の配設位置などが予め設定されている。
【００２６】
内側本体４は、互いに対向している一対の支持体１５，１５およびリング体１６を有して構成されている。一対の支持体１５，１５は、一端側１５ａ，１５ａがＬ字状に屈曲され、一端側１５ａ，１５ａがリング体１６の底板１７にねじ止めされている。これにより、一対の支持体１５，１５は、リング体１６と一体化されている。
【００２７】
そして、一対の支持体１５，１５は、他端側において、カバー９の下端にねじ止めされてカバー９と一体化している垂下板１８，１８をねじ１９，１９により回動自在に軸支している。これにより、灯体３は、ねじ１９，１９（一対の支持体１５，１５）を軸部として回動する。すなわち、灯体３は、ねじ１９，１９を結ぶ直線を回転中心（回転軸）として回動する。
【００２８】
リング体１６は、略皿状に形成され、外形が円状であって外方に突出している鍔部２０および底板１７の内方に開口２１を有している。開口２１は、楕円に形成され、一対の支持体１５，１５同士を結ぶ方向が短径（短寸法）となるように形成されている。そして、開口２１にカバー９（反射体７）が挿入されている状態となるようにして、灯体３が内側本体４に取り付けられている。そして、灯体３を回動させたときに、カバー９の突出部９ａが位置する外板１２の根元部分が開口２１の縁部に当接する。この当接により、さらに灯体３を回動することができなくなる。すなわち、開口２１の縁部は、灯体３の回動のストッパの役目を果たしている。
【００２９】
そして、灯体３が回動される回動方向は、開口２１において、支持体１５，１５同士を結ぶ方向と直交する方向（楕円の長径方向）となっている。すなわち、開口２１の縁部と半球状のカバー９の外面との隙間が大きくなっていて、灯体３を回動させたときに、開口２１の縁部にカバー９の外面が当接しない。したがって、灯体３を開口２１内で大きく回動させることができ、灯体３の回動範囲が大きくなっている。
【００３０】
器具本体５は、下面および上面にそれぞれ開口（図示しない。）を有する略円筒状に形成され、外側面に取付体２２，２２、下端に外形が円状であって中央部に図示しない開口が形成された下鍔部２３、上部側の内面に複数個設けられた係止部としての突起２４を有して形成されている。そして、器具本体５は、突起２４にリング体１６の鍔部２０を係止して、内側本体４を収納している。複数個の突起２４は、鍔部２０を係止することにより、灯体３および内側本体４を係止している。
【００３１】
器具本体５は、さらに、器具本体５が逆さにされたときに、灯体３および内側本体４が器具本体５から外れないように、リング体１６の鍔部２０を押える突起２４と対をなす突起２５が設けられている。そして、灯体３のカバー９が照明器具本体５の上面の開口に露出しているとともに、上面からカバー９の突出部９ａおよび外板１２が外方に突出している。
【００３２】
そして、鍔部２０は、突起２４に沿って移動可能となっている。この移動により、内側本体４および灯体３が水平方向に回転可能となっている。なお、突起２４および鍔部２０には、それぞれ図示しないストッパが形成されており、内側本体４が左右方向にそれぞれ１８０°の回転角度を超えて回転しないようにしている。
【００３３】
内側本体４が突起２４において回転することにより、さらに灯体３が一対の支持体１５，１５のねじ１９，１９を軸部として回動することにより、メタルハライドランプ８から放射される放射光の照射方向が可変される。
【００３４】
そして、器具本体５は、灯体３および内側本体４が配設された状態で天井２の開口２６に挿入される。器具本体５は、自身の内面と灯体３のフード１０との間に所定の隙間例えば２０ｍｍを有するように形成されていて、当該隙間から手動で取付体２２，２２を操作可能となっている。取付体２２，２２を手動操作することにより、取付体２２，２２の先端が天井２の裏面２ａに当接し、天井２が取付体２２，２２および下鍔部２３で挟持される。これにより、器具本体５が天井２に固定される。このように、灯体３および内側本体４を配設した状態で、器具本体５が天井２に取り付けられるので、照明器具１の天井２への設置作業が容易化される。
【００３５】
そして、器具本体５の下面の開口から灯体３のフード１０を掴み、手動で内側本体４を突起２４において回転させることにより、さらに灯体３を一対の支持体１５，１５のねじ１９，１９において回動させることにより、メタルハライドランプ８から放射される放射光の照射方向を容易に可変できる。
【００３６】
また、器具本体５は、下端に化粧カバー６を配設している。化粧カバー６は、筒状部６ａが器具本体５内に挿入され、筒状部６ａの復帰力により、筒状部６ａが下鍔部２３の開口の壁面に当接している。化粧カバー６は、器具本体５の内面と灯体３との間の隙間やリング体１６の開口２１における灯体３のカバー９とリング体１６との隙間が天井２の下側から見えないように遮蔽する。これにより、照明器具１の見栄えや意匠性が向上する。
【００３７】
上述したように、灯体３を一対の支持体１５，１５のねじ１９，１９において回動させることにより、リング体１６の開口２１において、灯体３のカバー９（反射体７）が回動する。そして、カバー９の回動方向は、楕円の開口２１の長径方向となっていて、開口２１の縁部と半球状のカバー９の外面との隙間は、大きくなっている。この結果、カバー９（反射体７）が回動しても、開口２１の縁部にカバー９の外面が当接しなくなり、灯体３の外板１２の下側（根元）が開口２１の縁部に当接する。すなわち、灯体３を開口２１内で大きく回動させることができて、反射体７の回動範囲も大きくなっている。そして、内側本体４を突起２４において水平方向に回転させることにより、灯体３も水平方向に回転するので、照明器具１から出射されるメタルハライドランプ８の放射光の照射方向の可変範囲が大きく確保される。この結果、照射方向の選択幅が多様化され、所望に照射方向を変更することができる。
【００３８】
そして、カバー９（反射体７）は、リング体１６の開口２１に挿入され、カバー９の外面が器具本体５の上面の開口に露出しているので、反射体７の熱は、カバー９に伝熱して器具本体５の上面の上方側に放熱されやすい。反射体７が放熱することにより、メタルハライドランプ８の温度上昇が抑制される。これにより、メタルハライドランプ８の発光効率が上昇するとともに、メタルハライドランプ８を長寿命化させることができる。
【００３９】
次に、本発明の第２の実施形態について説明する。
【００４０】
図２および図３は、本発明の第２の実施形態を示し、図２は照明器具の概略正面断面図、図３はリング体の概略上面図である。なお、図１と同一部分には同一符号を付して説明は省略する。
【００４１】
図２に示す照明器具２７は、図１に示す照明器具１において、外板１２の外面に沿う所定幅のアーム２８が外板１２に取り付けられている。アーム２８は、器具本体５の上面側において左右にＬ形に延出され、延出されたアーム２８の両端部がそれぞれカバー９（反射体７）の下端にねじ２９，２９により固定されている。アーム２８は、カバー９（反射体７）と一体化されている。
【００４２】
また、リング体１６に代えて、図３に示すように、底板１７の内方に円状の第１の開口としての開口３１が形成され、さらに支持体１５，１５（ねじ１９，１９）に対向する位置に長方形状の第２の開口としての開口３２，３２が形成されたリング体３３を備えている。そして、開口３１にカバー９（反射体７）が挿入され（図示しない。）、開口３２，３２にアーム２８の両側がそれぞれ挿通されるようにしている。
【００４３】
長方形状の開口３２，３２は、支持体１５，１５（ねじ１９，１９）同士を結ぶ方向（図中、Ａで示す。）と直交する方向（図中、Ｂで示す。）が長寸法となるように形成されている。灯体３がねじ１９，１９（一対の支持体１５，１５）を軸部として回動されると、アーム２８は、長寸法の開口３２，３２内を移動する。そして、アーム２８の側面２８ａ，２８ａが開口３２，３２の短寸法側の縁部（あるいは端面）３２ａ，３２ａに当接すると、灯体３をさらに回動させることができなくなる。アーム２８は、アーム２８を除く灯体部分が開口３１の縁部に当接する前に、開口３２，３２の縁部３２ａ，３２ａに当接するものである。
【００４４】
こうして、開口３２，３２の長寸法は、灯体３の首振り角度（照射方向）の可変範囲を規制しており、その長寸法が大きいほど、当該可変範囲が大きくなるものである。そして、アーム２８は、開口３２，３２の縁部３２ａ，３２ａに当接するので、灯体３の回動を規制する規制体として機能している。
【００４５】
そして、アーム２８を除く灯体部分が開口３１の縁部に当接する前に、アーム２８が開口３２，３２の縁部３２ａ，３２ａに当接することにより、灯体３の他の部位例えば外板１２が内側本体４や器具本体５に当接（干渉）することが防止される。これにより、灯体３が傷つくことを抑制することができる。
【図面の簡単な説明】
【００４６】
【図１】本発明の第１の実施形態の照明器具を示し、（ａ）は概略上面図、（ｂ）は概略正面図。
【図２】本発明の第２の実施形態を示す照明器具の概略正面断面図。
【図３】同じく、リング体の概略上面図。
【符号の説明】
【００４７】
１，２７…照明器具
３…灯体
４…内側本体
５…器具本体
６…化粧カバー
【図１】
2007012363.tif 000003
【図２】
2007012363.tif 000004
【図３】
2007012363.tif 000005